(57)【要約】【課題】表裏面に配設された受光部の内、一方の受光部に太陽光等による外乱が入っても、リモコン信号を確実に判別して安定した動作を確保する。【解決手段】受光部１ａ，１ｂは、それぞれ表示装置の表裏面に配設され、リモコン装置からの赤外線制御信号を受信して制御信号を生成し、それぞれＯＲ回路５ａ，５ｂを介して出力される。リーダ検知タイマ２ａ，２ｂは、受光部１ａ，１ｂから出力された制御信号がアクティブ状態になったとき起動し、アクティブ状態が、リモコン信号の先頭部にあるリーダの出力期間に対応する一定期間を超えて継続されたとき、リーダ検知信号を出力する。その信号を受けてゲート遮断タイマ４ａ，４ｂは、反対側のＯＲ回路５ｂ，５ａに、遮断信号を一定期間出力する。【選択図】図１
2008187610.tif 000002
【特許請求の範囲】
【請求項１】
赤外線リモートコントロール送信装置より発せられた赤外線制御信号を受信して制御信号を出力する第１、第２の受光部と、第１、第２の受光部にそれぞれ接続される第１受光系制御部と第２受光系制御部と、を備え、
前記第１受光系制御部、第２受光系制御部は、それぞれ、受光部から出力された制御信号がアクティブ状態になったとき起動し、アクティブ状態が一定期間を超えて継続されたとき、リーダ検知信号を出力する第１のタイマと、前記受光部から出力される制御信号を、遮断信号に基づいて遮断可能なゲート部と、所定期間、遮断信号を出力する第２のタイマと、を有し、
前記第１の受光部で受信した赤外線制御信号から前記リーダ検知信号が検知されたら前記第１受光制御部の第２のタイマからの遮断信号を前記第２受光制御部のゲート部に与えて前記第２の受光部で受信した赤外線制御信号を遮断し、
前記第２の受光部で受信した赤外線制御信号から前記リーダ検知信号が検知されたら前記第２受光制御部の第２のタイマからの遮断信号を前記第１受光制御部のゲート部に与えて前記第１の受光部で受信した赤外線制御信号を遮断することを特徴とする赤外線リモートコントロール受光装置。
【請求項２】
前記１受光系制御部と第２受光系制御部は、それぞれ第１のタイマと第２のタイマの間に、第２のゲート部を備え、
前記１受光系制御部の第２のタイマから出力される遮断により前記第２受光制御部の第２のタイマを遮断し、前記２受光系制御部の第２のタイマから出力される遮断により前記第１受光制御部の第２のタイマを遮断することを特徴とする請求項１に記載の赤外線リモートコントロール受光装置。
【請求項３】
互いに異なる受光方向に配設され、かつ、赤外線リモートコントロール送信装置より発せられた赤外線制御信号を受信して制御信号を出力する第１及び第２の受光部と、第１、第２の受光部にそれぞれ接続される第１受光系制御部と第２受光系制御部と、を備えた両面表示式表示装置において、
前記第１受光系制御部、第２受光系制御部は、それぞれ、受光部から出力された制御信号がアクティブ状態になったとき起動し、アクティブ状態が一定期間を超えて継続されたとき、リーダ検知信号を出力する第１のタイマと、前記受光部から出力される制御信号を、遮断信号に基づいて遮断可能なゲート部と、所定期間、遮断信号を出力する第２のタイマと、を有し、
第１受光系制御部または第２受光系制御部の第２のタイマが出力した遮断信号は前記第２受光系制御部または第１受光系制御部のゲート部に与えられ第２の受光部または第１の受光部で受信した赤外線制御信号を遮断することを特徴とする両面表示式表示装置。
【請求項４】
前記１受光系制御部と第２受光系制御部は、それぞれ第１のタイマと第２のタイマの間に、第２のゲート部を備え、
前記１受光系制御部の第２のタイマから出力される遮断により前記第２受光制御部の第２のタイマを遮断し、前記２受光系制御部の第２のタイマから出力される遮断により前記第１受光制御部の第２のタイマを遮断することを特徴とする請求項３に記載の両面表示式表示装置。
【発明の詳細な説明】
【技術分野】
【０００１】
本発明は、ＬＣＤ表示ユニットやＬＥＤドットマトリックス表示ユニット型の両面表示式表示装置等に組み込まれ、太陽光下で使用される赤外線リモートコントロール受光装置および両面表示式表示装置に関するものであり、特に、一方の受光部でリモコン信号を受信しているときに、他方の受光部に太陽光の強い赤外線が当たっても、一方の受光部で受信したリモコン信号に対する影響を与えないようにし、リモコン信号を認識できるようにした赤外線リモートコントロール受光装置および両面表示式表示装置に関するものである。
【背景技術】
【０００２】
ＬＣＤ表示ユニットやＬＥＤドットマトリックス表示ユニット型の両面表示式表示装置は、広告あるいは各種インフォメーションを表示するのに、文字入力、各種設定等を行うため、赤外線リモートコントロール送信装置（以下、単に「リモコン装置」という）で操作できるようにしている。そのような表示装置において、従来は、リモコン装置の受光部を表示面のどちらか一方の面のみに設けていた。
【０００３】
このような両面表示式表示装置は屋外に設置されるものであるから、リモコン信号を受信するリモコン受光部に太陽光の強い赤外線が当たると、その受光部は、常時オンの信号を出力したり、ランダムパルスを出力したりして、リモコン信号を認識できなくなる。このため、太陽光の照射方向に応じて両面表示式表示装置本体の向きを変えたり、リモコン受光部にひさし等を設けたりして、安定した赤外線リモートコントロールを可能としていた。
【０００４】
しかしながら、太陽光の照射方向に応じて両面表示式表示装置本体の向きを変えるには使用者に負担を強いることになり、また、リモコン受光部にひさし等を設けるとリモコン受光部やひさしの設置位置によっては、リモコン信号の受信の妨げになる恐れがある。このような問題を解消する赤外線リモートコントロール用受光装置の発明が、例えば、下記の特許文献１（特開平６−３５０５３９号公報）に開示されている。
【０００５】
この特許文献１に開示された赤外線リモートコントロール用受光装置は、赤外線リモートコントロール送信装置より発せられた制御信号を受信するための赤外受光素子と、該赤外受光素子が所定強度以上の外乱光を受けたときに出力する検出手段と、前記赤外受光素子が搭載され、前記検出手段の出力に従って、前記赤外受光素子の受信方向を変更する回転手段とを備えて構成され、外乱光を受けた時には赤外受光素子の受信方向を回転させるようにしたものである。
【０００６】
しかし、その場合、使用者は、赤外受光素子の受信方向がどちらを向いているかを認識しておく必要があって、使い勝手が悪い。そこで、表示装置の両面に受光部を設け、いずれの受光部でもリモコン信号を受光できるようにした両面表示式表示装置が使用されるようになってきている。
【０００７】
ところで、そのように両面にリモコン受光部が設けられた表示装置が太陽光下で使用され、一方の受光部でリモコン信号を受信しているときに、他方の受光部に太陽光の強い赤外線が当たると、その受光部は、常時オンの信号を出力したり、ランダムパルスを出力したりし、一方の受光部で受信したリモコン信号に対するノイズとなって、リモコン信号を認識できなくなるという問題点が生じる。
【０００８】
このような問題点を解決した赤外線リモートコントロール受光装置の発明が、例えば、下記の特許文献２（特開２００３−２０９８９４号公報）に開示されている。この赤外線リモートコントロール受光装置は、互いに異なる受光方向に配設され且つ赤外線リモートコントロール送信装置より発せられた赤外線の制御信号や外乱の赤外線を受信して検出信号を出力する第１，第２の受光部を有する。
【０００９】
そして、夫々の受光部が制御信号より大きい所定強度以上の外乱の赤外線を受けたことを検出する第１，第２の検出手段と、夫々の検出手段が前記制御信号より大きい所定強度以上の外乱の赤外線を受けたときに夫々の受光部の出力を遮断する第１，第２のスイッチと、夫々のスイッチを前記検出信号のいずれか一方でも通過すれば前記制御信号に基づく信号を装置の制御信号として出力する論理回路と、を備えて構成されたものである。このような構成にすれば、太陽光の強い赤外線によるリモコンの動作不良を防止することができる。
【００１０】
【特許文献１】特開平６−３５０５３９号公報
【特許文献２】特開２００３−２０９８９４号公報
【発明の開示】
【発明が解決しようとする課題】
【００１１】
しかしながら、太陽光の赤外線は、直射日光か反射光か、晴天時のものか薄曇りのものか等、その時の各種条件により強度が大きくばらつくため、上記特許文献２に開示された従来の赤外線リモートコントロール受光装置のように、単に赤外線の強弱により太陽光による外乱を判定するのでは、判断の確実性に欠け安定した動作が得られないという問題点があった。
【００１２】
本願の発明者は上記の問題点を解消すべく種々検討を重ねた結果、リモコン信号には一定の時間、所定の波形のリーダ部を示す信号を有することに着目し、リーダ部の受信を検出してリモコン信号が入力されたことを判別し、反対側の面に設けられた受光部の出力信号を一定時間遮断するようになせば、反対側の面に設けられた受光部に太陽光が当たっても、それに影響なくリモコン信号の受信ができることに想到して本発明を完成するに至ったものである。
【００１３】
すなわち、本発明は上記の問題点を解消することを課題とし、一方の受光部でリモコン信号を受信しているときに、他方の受光部に太陽光の強い赤外線が当たっても、一方の受光部で受信したリモコン信号に対する影響を与えないようにし、リモコン信号を認識できるようにした赤外線リモートコントロール受光装置および両面表示式表示装置を提供することを目的とするものである。
【課題を解決するための手段】
【００１４】
前記課題を解決するために、本願の請求項１にかかる発明は、
赤外線リモートコントロール送信装置より発せられた赤外線制御信号を受信して制御信号を出力する第１、第２の受光部と、第１、第２の受光部にそれぞれ接続される第１受光系制御部と第２受光系制御部と、を備え、
前記第１受光系制御部、第２受光系制御部は、それぞれ、受光部から出力された制御信号がアクティブ状態になったとき起動し、アクティブ状態が一定期間を超えて継続されたとき、リーダ検知信号を出力する第１のタイマと、前記受光部から出力される制御信号を、遮断信号に基づいて遮断可能なゲート部と、所定期間、遮断信号を出力する第２のタイマと、を有し、
前記第１の受光部で受信した赤外線制御信号から前記リーダ検知信号が検知されたら前記第１受光制御部の第２のタイマからの遮断信号を前記第２受光制御部のゲート部に与えて前記第２の受光部で受信した赤外線制御信号を遮断し、
前記第２の受光部で受信した赤外線制御信号から前記リーダ検知信号が検知されたら前記第２受光制御部の第２のタイマからの遮断信号を前記第１受光制御部のゲート部に与えて前記第１の受光部で受信した赤外線制御信号を遮断することを特徴とする。
【００１５】
また、本願の請求項２にかかる発明は、請求項１にかかる赤外線リモートコントロール受光装置において、前記１受光系制御部と第２受光系制御部は、それぞれ第１のタイマと第２のタイマの間に、第２のゲート部を備え、
前記１受光系制御部の第２のタイマから出力される遮断により前記第２受光制御部の第２のタイマを遮断し、前記２受光系制御部の第２のタイマから出力される遮断により前記第１受光制御部の第２のタイマを遮断することを特徴とする。
【００１６】
また、本願の請求項３にかかる発明は、
互いに異なる受光方向に配設され、かつ、赤外線リモートコントロール送信装置より発せられた赤外線制御信号を受信して制御信号を出力する第１及び第２の受光部と、第１、第２の受光部にそれぞれ接続される第１受光系制御部と第２受光系制御部と、を備えた両面表示式表示装置において、
前記第１受光系制御部、第２受光系制御部は、それぞれ、受光部から出力された制御信号がアクティブ状態になったとき起動し、アクティブ状態が一定期間を超えて継続されたとき、リーダ検知信号を出力する第１のタイマと、前記受光部から出力される制御信号を、遮断信号に基づいて遮断可能なゲート部と、所定期間、遮断信号を出力する第２のタイマと、を有し、
第１受光系制御部または第２受光系制御部の第２のタイマが出力した遮断信号は前記第２受光系制御部または第１受光系制御部のゲート部に与えられ第２の受光部または第１の受光部で受信した赤外線制御信号を遮断することを特徴とする。
【００１７】
また、本願の請求項４にかかる発明は、請求項３にかかる両面表示式表示装置において、前記１受光系制御部と第２受光系制御部は、それぞれ第１のタイマと第２のタイマの間に、第２のゲート部を備え、
前記１受光系制御部の第２のタイマから出力される遮断により前記第２受光制御部の第２のタイマを遮断し、前記２受光系制御部の第２のタイマから出力される遮断により前記第１受光制御部の第２のタイマを遮断することを特徴とする。
【発明の効果】
【００１８】
本発明の赤外線リモートコントロール受光装置は、次のような効果を奏する。
すなわち、請求項１、請求項３にかかる発明においては、第１及び第２の受光部から出力された制御信号のアクティブ状態が一定期間を超えて継続されたことに基づいて、リモコン信号の先頭部にあるリーダを検知し、所定期間、反対側の受光制御部のゲート部を遮断するようにしたので、一方の受光部に太陽光等による外乱が入っても、リモコン信号を確実に判別して安定した動作を確保することができる。
【００１９】
また、請求項２、請求項４にかかる発明においては、それぞれ請求項１、請求項３にかかる赤外線リモートコントロール受光装置、両面表示式表示装置において、第１のタイマと第２のタイマの間に、反対側の受光制御部の第２のタイマから出力される遮断信号により第２のゲート部を遮断するようにしたので、一方の受光部に向けて送信されたリモコン信号が壁などに反射して、他方の受光部に入ることがあっても、両方の第２のタイマが同時に動作し、表裏とも受信禁止状態になってしまうというようなことがなくなる。
【発明を実施するための最良の形態】
【００２０】
以下、本発明の具体例を実施例及び図面を用いて詳細に説明する。但し、以下に示す実施例は、本発明の技術思想を具体化するための赤外線リモートコントロール受光装置を例示するものであって、本発明をこの赤外線リモートコントロール受光装置に特定することを意図するものではなく、特許請求の範囲に含まれるその他の実施形態の赤外線リモートコントロール受光装置にも等しく適用し得るものである。
【実施例１】
【００２１】
図４は、ＬＥＤドットマトリックス型両面表示式表示装置の外観図であり、図４（イ）は正面図、図４（ロ）は側面図である。図４において、１ａ，１ｂは受光部、７は表示パネル、８ａ，８ｂはＬＥＤ素子である。
【００２２】
表示パネル７の前後両面に、多数のＬＥＤ素子８ａ，８ｂを整列配置している。そして、ＬＥＤ素子８ａ，８ｂを選択的に点灯させることにより、文字，図形，符号，記号等を表示させて、広告あるいは各種インフォメーションを表示できるようにしている。また、表示パネル７の前後両面には、リモコン装置から発信される赤外線制御信号を受光するための受光部１ａ，１ｂを設けて、リモコン装置を使って、文字入力，各種設定等を行うことができるようになっている。
【００２３】
そこで、本発明の赤外線リモートコントロール受光装置では、リモコン信号のリーダ部を検知することにより、リモコン信号が入力されたことを判別し、反対側の面に設けられた受光部１ｂ（または１ａ）の出力信号を一定時間遮断して、反対側の面に設けられた受光部１ｂ（または１ａ）に太陽光が当たっても、それに影響なくリモコン信号の受信ができるようにした。
【００２４】
図１は、本発明の一実施例に係る赤外線リモートコントロール受光装置の回路図である。図１における受光部１ａ，１ｂは、図４の受光部１ａ，１ｂに対応している。受光部１ａ，１ｂの出力端子は、ＯＲ回路５ａ，５ｂの一方の入力端子に接続され、ＯＲ回路５ａ，５ｂの出力端子は、それぞれＡＮＤ回路６の入力端子に接続されている。
【００２５】
受光部１ａ，１ｂの出力端子は、また、リーダ検知タイマ２ａ，２ｂの入力端子にそれぞれ接続され、リーダ検知タイマ２ａ，２ｂの出力端子は、それぞれＯＲ回路３ａ，３ｂの一方の入力端子に接続されている。そして、ＯＲ回路３ａ，３ｂの出力端子は、それぞれゲート遮断タイマ４ａ，４ｂの入力端子に接続され、ゲート遮断タイマ４ａ，４ｂの出力端子は、それぞれ、反対側回路のＯＲ回路３ｂ，５ｂとＯＲ回路３ａ，５ａの残りの入力端子に接続される。
【００２６】
リモコン装置から出力されるリモコン信号（アクティブＬｏｗ）は、図２に示すように、先頭にリーダと呼ばれている部分があり、約９ミリ秒の信号を最初に送信することになっている。本発明の赤外線リモートコントロール受光装置では、このリーダ部をリーダ検知タイマ２ａ，２ｂで検出し、リーダ部検出と同時に、ゲート遮断タイマ４ａ，４ｂの出力でＯＲ回路５ａ，５ｂを制御して、反対側受光部の出力を一定期間遮断するようにしている。
【００２７】
このように、リーダ検知タイマ２ａ、ＯＲ回路３ａ、ゲート遮断タイマ４ａ、ＯＲ回路５ａにより第１受光部１ａで受信した赤外線制御信号を制御する第１受光制御部が構成され、リーダ検知タイマ２ｂ、ＯＲ回路３ｂ、ゲート遮断タイマ４ｂ、ＯＲ回路５ｂにより第２受光部１ｂで受信した赤外線制御信号を制御する第２受光制御部が構成されている。
これにより、第１及び第２の受光部から出力された制御信号のアクティブ状態が一定期間を超えて継続されたことに基づいて、リモコン信号の先頭部にあるリーダを検知し、所定期間、反対側の受光制御部のゲート部（ＯＲ回路５ａまたは５ｂ）を遮断する。
【００２８】
次に、図１の回路の動作を説明する。受光部１ａ，１ｂは、リモコン装置の赤外線信号を受信すると、ロー（Ｌｏｗ）を出力するようになっている。例えば、受光部１ａに図２に示したような赤外線信号が入力されると、受光部１ａの出力端Ａには、図３Ａに示すような信号波形が現れる。その信号は、ＯＲ回路５ａに入力される。そのとき、ＯＲ回路５ａの他方の入力はローになっており、受光部１ａの出力信号は、そのままＡＮＤ回路６に入力される。
【００２９】
リーダ検知タイマ２ａ，２ｂは、受光部１ａ，１ｂの出力がハイ（Ｈｉｇｈ）からローになると同時にスタートし、７ミリ秒間ローが続くとローのパルスを出力する。上記例のように受光部１ａに図２に示したような赤外線信号が入力された場合、リーダ検知タイマ２ａの出力端Ｂには、図３Ｂに示すような信号波形が現れる。また、ゲート遮断タイマ４ａ，４ｂは、リーダ検知タイマ２ａ，２ｂの出力がハイからローになると１００ミリ秒間ハイを出力する。上記例の場合、ゲート遮断タイマ４ａの出力端Ｃには、図３Ｃに示すような信号波形が現れる。
【００３０】
そして、ゲート遮断タイマ４ａの出力が入力される反対側のＯＲ回路５ｂの出力は、受光部１ｂの信号状態にかかわらずハイを出力するようになる。その結果、受光部１ａでリモコン信号を受信中に、受光部１ｂに太陽光の強い赤外線が当たっても、その出力信号はＯＲ回路５ｂで遮断され、リモコン信号に対するノイズになるのを防止できる。
【００３１】
ゲート遮断タイマ４ａの出力は、また、反対側のＯＲ回路３ｂに入力され、ＯＲ回路３ｂの出力を遮断する。ここで、ゲート遮断タイマ４ａ，４ｂの前段にＯＲ回路３ａ，３ｂを設け、一方のゲート遮断タイマ４ａ（または４ｂ）が動作したとき、反対側のＯＲ回路３ｂ（または３ａ）の出力を遮断するようにした理由について説明する。
【００３２】
通常、表示装置の表裏両面から同時にリモコン操作を行うことはありえないので、受光部１ａと受光部１ｂで同時にリモコン信号が検出される可能性は低く、ＯＲ回路３ａ，３ｂは必要ないように思われるが、実際は、一方の受光部１ａに向けて送信されたリモコン信号が壁などに反射して、他方の受光部１ｂにも入る可能性がある。そのような場合、ＯＲ回路３ａ，３ｂがないと、両方のゲート遮断タイマ４ａ，４ｂが動作して、表裏とも受信禁止状態になってしまい、リモコン操作ができなくなる。それを回避するため、一方のゲート遮断タイマ、例えばゲート遮断タイマ４ａが動作した瞬間に反対側のＯＲ回路３ｂの出力をハイにして、リーダ検知タイマ２ｂが起動するのを防止するようにしているのである。
【００３３】
すなわち、受光部１ａに向けて送信したリモコン信号が、壁などに反射して受光部１ｂに入ると、受光部１ｂの出力端Ｄには、図３Ｄに示すように、リーダ検知タイマ２ｂの出力端Ｅには、図３Ａの信号からわずかな時間遅れをもって、図３Ｅに示すような信号波形が現れ、ＯＲ回路３ｂの一方の入力端子に入力される。しかしこの時、ＯＲ回路３ｂのもう一方の入力は、図３Ｃに示すように、ゲート遮断タイマ４ａによりハイになっているため、図３Ｅの信号は遮断され、ゲート遮断タイマ４ｂには入力されない。
【００３４】
このようにすれば、一方の受光部１ａに向けて送信されたリモコン信号が壁などに反射して、他方の受光部１ｂに入ることがあっても、両方のゲート遮断タイマ４ａ，４ｂが同時に動作し、表裏とも受信禁止状態になってしまうというようなことがなくなる。
【図面の簡単な説明】
【００３５】
【図１】本発明の一実施例に係る赤外線リモートコントロール受光装置の回路図である。
【図２】リモコン信号の波形図である。
【図３】図１の回路各部の信号波形図である。
【図４】ＬＥＤドットマトリックス型両面表示式表示装置の外観図である。
【符号の説明】
【００３６】
１ａ，１ｂ・・・・受光部
２ａ，２ｂ・・・・リーダ検知タイマ
３ａ，３ｂ，５ａ，５ｂ・・・・ＯＲ回路
４ａ，４ｂ・・・・ゲート遮断タイマ
６・・・・ＡＮＤ回路
７・・・・表示パネル
８・・・・ＬＥＤ素子
【図１】
2008187610.tif 000003
【図２】
2008187610.tif 000004
【図３】
2008187610.tif 000005
【図４】
2008187610.tif 000006